(57)【要約】【課題】低コストで使用勝手を向上させることのできるディスク再生装置を提供する。【解決手段】トラック毎に映像データと音声データの一方または両方を記録したディスクＤを再生するディスク再生装置１において、各トラックの映像データの有無を含むディスク情報を読み取って記憶するＲＡＭ１４と、表示画面に所定のマークを出力するＯＳＤ装置１２とを備え、再生されるトラックの情報をＲＡＭ１４から取得して映像データを含まないときに音声のみの再生を示すマークをＯＳＤ装置１２により表示画面に出力した。【選択図】      図４
2004165898.tif 000002
【特許請求の範囲】
【請求項１】
トラック毎に映像データと音声データの一方または両方を記録したディスクを再生するディスク再生装置において、各トラックの映像データの有無を含むディスク情報を読み取って記憶するＲＡＭと、表示画面に所定のマークを出力するＯＳＤ装置とを備え、再生トラックの情報を前記ＲＡＭから取得して再生トラックが映像データを含まないときに、前記ＯＳＤ装置によって音声のみの再生を示すマークを直前の表示画像に合成して表示画面に出力したことを特徴とするディスク再生装置。
【請求項２】
トラック毎に映像データと音声データの一方または両方を記憶したディスクを再生するディスク再生装置において、再生トラックが映像データを含まないときに音声のみの再生を示すマークを表示画面に出力したことを特徴とするディスク再生装置。
【請求項３】
トラック毎に映像データと音声データの一方または両方を記録したディスクを再生するディスク再生装置において、各トラックの映像データの有無を含むディスク情報を読み取って記憶する記憶部と、表示画面に所定のマークを出力するＯＳＤ装置とを備え、再生トラックの情報を前記記憶部から取得して再生トラックが映像データを含まないときに、前記ＯＳＤ装置により音声のみの再生を示すマークを表示画面に出力したことを特徴とするディスク再生装置。
【発明の詳細な説明】
【０００１】
【発明の属する技術分野】
本発明は、情報を記録したディスクを再生するディスク再生装置に関し、特に映像データが記録されたビデオＣＤ等のディスクを再生するディスク再生装置に関する。
【０００２】
【従来の技術】
ビデオＣＤはＭＰＥＧ１方式により圧縮された映像データ及び音声データを複数のトラックに記録することができ、デコーダにより復調して音声と映像とを出力できるようになっている。また、ビデオＣＤには音楽ＣＤのＣＤＤＡ規格による音声データを記録可能になっており、トラックに応じて音楽を含む音声のみの再生が可能になっている。
【０００３】
ビデオＣＤを再生する従来のディスク再生装置は再生中に別のトラックをサーチすることができる。映像の再生中にサーチを行って音声のみのトラックを再生開始すると、直前の画像が表示されたままになり、ユーザが故障と誤認する場合がある。
【０００４】
特許文献１の従来例には、音声のみのトラックの再生時にブルーバック画像を表示するディスク再生装置が開示されている。また、特許文献１の実施例には、音声のみのトラックの再生時に別のトラックの映像データやディスク情報を読み出して表示画面に表示するディスク再生装置が開示されている。これにより、ＣＤＤＡ規格のトラックを再生する際に故障の誤認を防止して使用勝手を向上させることができるようになっている。
【０００５】
【特許文献１】
特開平８−２４９８２１号公報（第３頁〜第６頁、第１図）
【０００６】
【発明が解決しようとする課題】
しかしながら、上記の従来のディスク再生装置によると、ブルーバック画像等の画像データを記憶するため大きなメモリを必要とし、ディスク再生装置のコストが大きくなる問題があった。
【０００７】
本発明は、低コストで使用勝手を向上させることのできるディスク再生装置を提供することを目的とする。
【０００８】
【課題を解決するための手段】
上記目的を達成するために本発明は、トラック毎に映像データと音声データの一方または両方を記録したディスクを再生するディスク再生装置において、各トラックの映像データの有無を含むディスク情報を読み取って記憶するＲＡＭと、表示画面に所定のマークを出力するＯＳＤ装置とを備え、再生トラックの情報を前記ＲＡＭから取得して再生トラックが映像データを含まないときに、前記ＯＳＤ装置によって音声のみの再生を示すマークを直前の表示画像に合成して表示画面に出力したことを特徴としている。
【０００９】
この構成によると、ビデオＣＤ等の映像データを含むディスクを装着すると、トラック毎のディスク情報が読み出されてＲＡＭに記憶される。トラックを再生する際にはＲＡＭを参照して映像データの有無を判断し、映像データがない場合はＯＳＤ装置によって表示画面に「ＣＤＤＡ」等の文字や記号から成るマークが表示される。また、直前に映像が再生されていた場合は直前の表示画像にマークを合成して表示される。
【００１０】
また本発明は、トラック毎に映像データと音声データの一方または両方を記憶したディスクを再生するディスク再生装置において、再生されるトラックが映像データを含まないときに音声のみの再生を示すマークを表示画面に出力したことを特徴としている。
【００１１】
また本発明は、トラック毎に映像データと音声データの一方または両方を記録したディスクを再生するディスク再生装置において、各トラックの映像データの有無を含むディスク情報を読み取って記憶する記憶部と、表示画面に所定のマークを出力するＯＳＤ装置とを備え、再生されるトラックの情報を前記記憶部から取得して映像データを含まないときに音声のみの再生を示すマークを前記ＯＳＤ装置により表示画面に出力したことを特徴としている。
【００１２】
【発明の実施の形態】
以下に本発明の実施形態を図面を参照して説明する。図１は一実施形態のディスク再生装置を示すブロック図である。ディスク再生装置１は各部を制御するＣＰＵ２を備えている。ＣＰＵ２にはＣＤ信号処理部３、駆動回路４、ＭＰＥＧデコーダ６、９、ＲＯＭ１３、ＲＡＭ１４が接続されている。
【００１３】
ＣＤ信号処理部５にはディスクＤの記録信号を読み取る光ピックアップ５が接続され、光ピックアップ５で読み取った信号を復調する。復調された信号がＣＤＤＡ規格による音声データの場合は後述する切替器７に送られる。復調された信号がＭＰＥＧ１規格による映像データ及び音声データの場合はＭＰＥＧデコーダ６、９に送られる。
【００１４】
駆動回路４はディスクＤを回転駆動するとともに、光ピックアップ５をディスクＤに同期して駆動する。ＲＯＭ１３は読出専用になっており、ディスク再生装置１の駆動プログラムや各設定値が記憶されている。ＲＡＭ１４は書き換え可能になっており、ＣＰＵ２による演算の一時記憶や映像データの一時記憶を行う。
【００１５】
ＭＰＥＧエンコーダ６、９はＣＤ信号処理部３で復調されたＭＰＥＧ１規格の音声データ及び映像データを伸張し、同期して出力する。ＭＰＥＧエンコーダ６には切替器７が接続されており、ＣＤ信号処理部３で復調された信号がＣＤＤＡ規格かＭＰＥＧ１規格かに応じて出力を切り替えるようになっている。また、切替器７に接続されるＤ／Ａコンバータ８はデジタル信号をアナログ信号に変換する。これにより、オーディオ信号が出力され、スピーカ（不図示）から音声が出力される。
【００１６】
ＭＰＥＧエンコーダ９にはＤ／Ａコンバータ１０が接続され、デジタル信号をアナログのＹ、Ｃｒ、Ｃｂ信号に変換する。Ｄ／Ａコンバータ１０に接続されるＮＴＳＣエンコーダ１１はＹ、Ｃｒ、Ｃｂ信号をＮＴＳＣ方式の映像信号に変換する。
【００１７】
ＮＴＳＣエンコーダ１１にはＯＳＤ（Ｏｎ  Ｓｃｒｅｅｎ  Ｄｉｓｐｌａｙ）装置１２が接続されている。ＯＳＤ装置１２は、トラック番号や再生状況等を示す文字や記号から成るマークのデータを内部に記憶している。そして、マークを映像画面の一部に重複して表示するように入力信号を変換して出力する。これにより、ビデオ信号が出力され、表示装置（不図示）に映像が表示される。
【００１８】
上記構成のディスク再生装置１において、ディスク再生装置１の電源が入れられると図２のフローチャートに示す初期動作が実行される。ステップ＃１１ではディスク再生装置１にディスクＤが挿入されるまで待機する。ディスクＤが挿入されるとステップ＃１２に移行し、駆動回路４によってディスクＤが回転する。
【００１９】
ステップ＃１３ではディスクＤの先頭部に記録されたディスク情報（ＴＯＣ：Ｔａｂｌｅ  Ｏｆ  Ｃｏｎｔｅｎｔｓ）を光ピックアップ５により読み取る。ＴＯＣには図３に示すように、トラック毎のタイトル、開始位置、終了位置、ＣＤＤＡかＭＰＥＧ１かを区別する記録データの種類等から成るデータベースが記録されている。開始位置及び終了位置は先頭からの所定間隔のカウント数により記憶されており、先頭からの時間が記憶される場合もある。読み取ったデータはステップ＃１４でＲＡＭ１４に記憶され、終了する。
【００２０】
初期動作が終了するとユーザーによる操作が行われるまで待機する。ユーザーがディスクＤの再生を選択すると、図４に示す再生処理の動作が行われる。図４のステップ＃２１では再生を行うトラック番号が取得される。ステップ＃２２では、前述の図３に示すデータベースがＲＡＭ１４から呼び出して取得される。
【００２１】
ステップ＃２３ではＲＡＭ１４から取得したデータから、トラック番号に対応する記録データの種類がＣＤＤＡ規格かＭＰＥＧ１規格かが判断される。再生するトラックがＣＤＤＡ規格の場合はステップ＃２４に移行する。ステップ＃２４では、ＯＳＤ装置１２により例えば「ＣＤＤＡ」等のマークを、表示中の静止画像データの隅等に合成して表示画面に表示する。そして、ステップ＃２５でＣＤＤＡ規格を復調したオーディオ信号が再生される。尚、画像が表示されていない場合はマークのみの映像が表示される。
【００２２】
また、ステップ＃２３の判断により再生するトラックがＭＰＥＧ１規格の場合は、ステップ＃２５に移行し、ＭＰＥＧ１規格を復調したオーディオ信号及びビデオ信号が再生される。
【００２３】
本実施形態によると、映像の再生中にトラックをサーチしてＣＤＤＡ規格のトラックを再生した場合に、ＯＳＤ装置１２により直前の画像に「ＣＤＤＡ」等のマークを合成して表示する。従って、ユーザーが故障と誤認することを防止して使用勝手を向上させることができる。また、ＯＳＤ装置１２によりマークのデータを記憶してブルーバック画像等の画像データを記憶する必要がないので、メモリを節約してディスク再生装置１のコストを削減することができる。
【００２４】
【発明の効果】
本発明によると、映像の再生中にトラックをサーチして音声のみのトラックを再生した場合に、ＯＳＤ装置により直前の画像に所定のマークを合成して表示する。従って、故障との誤認を防止して使用勝手を向上させることができる。また、ＯＳＤ装置によりマークのデータを記憶してブルーバック画像等の画像データを記憶する必要がないので、メモリを節約してディスク再生装置のコストを削減することができる。
【図面の簡単な説明】
【図１】は、本発明の実施形態のディスク再生装置の構成を示すブロック図である。
【図２】は、本発明の実施形態のディスク再生装置の初期動作を示すフローチャートである。
【図３】は、本発明の実施形態のディスク再生装置のディスク情報のデータベースの一例を示す図である。
【図４】は、本発明の実施形態のディスク再生装置の再生処理を示すフローチャートである。
【符号の説明】
１    ディスク再生装置
２    ＣＰＵ
３    ＣＤ信号処理部
４    駆動サーボ
５    光ピックアップ
６、９  ＭＰＥＧデコーダ
７    切替器
８、１０  Ｄ／Ａコンバータ
１１    ＮＴＳＣエンコーダ
１２    ＯＳＤ装置
１３    ＲＯＭ
１４    ＲＡＭ
【図１】
2004165898.tif 000003
【図２】
2004165898.tif 000004
【図３】
2004165898.tif 000005
【図４】
2004165898.tif 000006